(57)【要約】  【課題】音声入力だけで無線機の動作制御とライト点灯制御を実行可能とした無線機のライト制御方式及び方法を提供する。  【解決手段】マイクからの入力信号から音声信号を検知し、検知された音声信号のレベルが所定のしきい値以上であるか否かを判定し、音声信号のレベルが所定のしきい値以上であるときには、ＶＯＸ機能が設定されていれば、当該無線機の送信機能を予め定められた時間だけ動作させ、ライトを点灯させる機能が設定されていれば、予め定められた時間だけライト点灯動作させる。【選択図】図１
2006279710.tif 000002
【特許請求の範囲】
【請求項１】
ライト点灯機能部と、ＶＯＸ機能部とを備え、所定の音声入力に応答して前記２つの機能部の一方を選択的に動作させることを特徴とする無線機のライト制御方式。
【請求項２】
ライト点灯機能部と、ＶＯＸ機能部とを備え、入力された音声信号レベルが所定のしきい値よりも大きいときに、前記２つの機能部のうち設定されている機能部動作を実行させることを特徴とする無線機のライト制御方式。
【請求項３】
前記２つの機能部の動作実行は、予め定められている時間だけ実行されることを特徴とする請求項１または２に記載の無線機のライト制御方式。
【請求項４】
前記２つの機能部の選択動作設定は、設定手段により行われることを特徴とする請求項１乃至３のいずれかに記載の無線機のライト制御方式。
【請求項５】
前記２つの機能部の選択動作設定は、前記入力音声を音声認識した認識結果に基づいて行われることを特徴とする請求項１乃至４のいずれかに記載の無線機のライト制御方式。
【請求項６】
ＶＯＸ機能とライト点灯機能を有する無線機の前記ライト点灯機能を制御する無線機のライト制御方法において、
マイクからの入力信号から音声信号を検知するステップと、
検知された音声信号のレベルが所定のしきい値以上であるか否かを判定するステップと、
前記音声信号のレベルが所定のしきい値以上であるときには、前記ＶＯＸ機能が設定されていれば、当該無線機の送信機能を予め定められた時間だけ動作させ、ライトを点灯させる機能が設定されていれば、予め定められた時間だけライト点灯動作させるステップと、
を備えて成ることを特徴とする無線機のライト制御方法。
【請求項７】
前記ＶＯＸ機能とライト点灯機能の選択的設定は、入力音声の認識結果がＶＯＸ機能を指示している音声であるときにはＶＯＸ機能を、認識結果がライト点灯機能を指示している音声であるときにはライト点灯機能をそれぞれ設定させることを特徴とする請求項６に記載の無線機のライト制御方法。
【請求項８】
前記機能部の動作実行は、予め定められている時間だけ実行されることを特徴とする請求項６に記載の無線機のライト制御方法。
【発明の詳細な説明】
【技術分野】
【０００１】
本発明は無線機のライト制御方式及び方法に関し、例えば、ＶＯＸ機能を有する無線機に用いて有効な無線機のライト制御方式及び方法に関する。
【背景技術】
【０００２】
例えば、無線機では、ユーザが音声信号を相手側無線機に送信する際に、マイクからの音声入力に応答して当該送信機能を動作させる機能、いわゆるＶＯＸ機能が内蔵されているものが多い（例えば、特許文献１参照。）。
【特許文献１】特開平１０−２６１１７９公報（第２、３頁、図１）
【０００３】
ところで、無線機の使用環境は、無線機を利用して外部と通信をしながら作業をする場合も多く、かかる環境下で夜間に作業する場合は、ライトで作業現場を点灯しなければならないときも多い。通常は、作業者が片手で無線機をもって操作し、もう片一方の手でライトをもち点灯をオン、オフさせて作業をしている。
【０００４】
しかしながら、ライト所持、操作で作業者の一方の手は塞がっているため、無線機の操作はもう片一方の手でせざるを得ないが、無線機の操作は複雑な場合もあり、そのような場合に無線機の操作が充分行えず、ライトを一時下において無線機の操作をしなければならないこともある。
【０００５】
このとき、無線機にＶＯＸ機能を内蔵させれば、音声の送信時には、何らの操作をすることなくマイクへの音声入力によって送信機能を実行することができるが、ライト点灯作業は別途必要となる。
【０００６】
また、ライトを付属（内蔵）させた無線機では、ライトを把持する必要はないものの、その手動操作が不要となるわけではない。
【発明の開示】
【発明が解決しようとする課題】
【０００７】
上述のように、従来の無線機とライトを併用する場合には、無線機とライトの操作を手動で行わざるを得ず、操作性の面で大きな課題を有する。
【０００８】
そこで、本発明の目的は、音声入力だけで無線機の動作制御とライト点灯制御を実行可能とした無線機のライト制御方式及び方法を提供することにある。
【課題を解決するための手段】
【０００９】
前述の課題を解決するため、本発明による無線機のライト制御方式及び方法は次のような特徴的な構成を採用している。
【００１０】
（１）ライト点灯機能部と、ＶＯＸ機能部とを備え、所定の音声入力に応答して前記２つの機能部の一方を選択的に動作させる無線機のライト制御方式。
（２）ライト点灯機能部と、ＶＯＸ機能部とを備え、入力された音声信号レベルが所定のしきい値よりも大きいときに、前記２つの機能部のうち設定されている機能部動作を実行させる無線機のライト制御方式。
（３）前記２つの機能部の動作実行は、予め定められている時間だけ実行される上記（１）または（２）の無線機のライト制御方式。
（４）前記２つの機能部の選択動作設定は、設定手段により行われる上記（１）乃至（３）のいずれかの無線機のライト制御方式。
（５）前記２つの機能部の選択動作設定は、前記入力音声を音声認識した認識結果に基づいて行われる上記（１）乃至（４）のいずれかの無線機のライト制御方式。
（６）ＶＯＸ機能とライト点灯機能を有する無線機の前記ライト点灯機能を制御する無線機のライト制御方法において、
マイクからの入力信号から音声信号を検知するステップと、
検知された音声信号のレベルが所定のしきい値以上であるか否かを判定するステップと、
前記音声信号のレベルが所定のしきい値以上であるときには、前記ＶＯＸ機能が設定されていれば、当該無線機の送信機能を予め定められた時間だけ動作させ、ライトを点灯させる機能が設定されていれば、予め定められた時間だけライト点灯動作させるステップと、
を備えて成る無線機のライト制御方法。
（７）前記ＶＯＸ機能とライト点灯機能の選択的設定は、入力音声の認識結果がＶＯＸ機能を指示している音声であるときにはＶＯＸ機能を、認識結果がライト点灯機能を指示している音声であるときにはライト点灯機能をそれぞれ設定させる上記（６）の無線機のライト制御方法。
（８）前記機能部の動作実行は、予め定められている時間だけ実行される上記（６）の無線機のライト制御方法。
【発明の効果】
【００１１】
本発明による無線機のライト制御方式及び方法では、ライト点灯機能を付属させた無線機のライト点灯機能の動作を、マイク等を介して入力される音声によって制御しているので、ユーザの手を介さずに実行することができる。また、ライト点灯制御と併行して無線機のＶＯＸ機能も制御することができ、使用性が格段に改善される。
【実施例】
【００１２】
以下、本発明による無線機のライト制御方式及び方法の好適実施例の構成および動作を、添付図面を参照して詳細に説明する。
【００１３】
先ず、図１は、本発明による無線機の好適実施例の全体構成を示す基本構成ブロック図である。
【００１４】
本実施例では、マイク１から入力される音声信号は、音声検出部２と変調回路６に出力される。変調回路６は、マイク１からの音声信号を変調して送信させるための処理を実行する（その構成及び動作は周知であるので省略する）。音声検出部２は、マイク１からの音声信号を検出する。制御部３は、音声検出部２で検出された音声信号に基づいて生成される制御信号をスイッチ部４に出力する。スイッチ部４は、制御部３からの制御信号を送信機能部７とライト機能部８に切り替え出力する。
【００１５】
図１に示す実施例は、音声により送信機能を動作させる、いわゆるＶＯＸ機能と、ライト機能部８によりライト９を駆動して照明を行うライト機能を採用している。そして、両機能の切り替えは、スイッチ部４により行われる。スイッチ（ＳＷ）入力部５は、スイッチ部４の上記切り替え制御を制御するもので、通常のＶＯＸ機能と、ライト点灯機能とをスイッチ部４の可動切片を端子４ａに接続することによりＶＯＸ機能を、端子４ｂに接続することによりライト点灯機能を実行する。
【００１６】
図２は図１に示す実施例のより具体的な構成ブロック図を示す。図２において、図１と同じ符号が付与されている構成部は同様な機能を実行する構成部を示している。以下、その構成を具体的に説明する。
【００１７】
音声検出部２に入力されるマイク１からの音声信号は、音声検出部２を構成する増幅器２１で増幅され、検波器２２で音声信号が検波されて、またはＤＣ成分に変換されて制御部３に出力される。
【００１８】
制御部３は、Ａ／Ｄ変換器３１、比較器３２、出力制御部３３、音声検出レベル／タイマ入力設定部３４、第１のメモリ３５、第２のメモリ３６及びタイマ３７を備えて構成される。
【００１９】
制御部３のＡ／Ｄ変換器３１は、音声検出部２からのアナログ信号である音声信号をデジタル信号に変換する。比較器３２は、Ａ／Ｄ変換器３１からのデジタル音声信号を第１のメモリ３５に記憶されている設定値（しきい値）と比較し、音声信号レベルが第１のメモリ３５に記憶されているしきい値よりも大きいときに、制御を指示する音声信号の入力があったと判断して出力制御部３３に対して制御信号を出力する。
【００２０】
音声検出レベル／タイマ入力設定部３４は、スイッチ部４の制御態様を設定するもので、比較器３２における比較しきい値を第１のメモリ３５に設定、記憶させるとともに、送信機能部７やライト機能部８の動作時間を規定するためのタイマ３７のタイマ時間を第２のメモリ３６に設定、記憶させる。
【００２１】
第２のメモリ３６は設定、記憶されているタイマ時間をタイマ３７に送出する。タイマ３７は入力されたタイマ時間情報を出力制御部３３に送出する。第１のメモリ３５と第２のメモリ３６に設定、記憶されているタイマ時間は、通常、送信時よりもライト点灯時間の方が長い時間に設定される。
【００２２】
出力制御部３３は、Ａ／Ｄ変換器３１からの出力信号レベルが第１のメモリ３５に記憶されているしきい値よりも大きいときに、タイマ３７に記憶されている時間だけ制御信号をスイッチ部４に送出する。
【００２３】
スイッチ（ＳＷ）入力部５は、スイッチ部４のスイッチ切り替えを制御する切替信号をスイッチ部４に対して送出する。スイッチ部４の可動切片を端子４ａ側に接続すれば、通常のＶＯＸ機能が働き送信機能部７が第２のメモリ３６で設定されている時間だけ動作して変調回路６の動作を経て次段回路部にマイク１からの音声信号の変調信号が送出される。一方、スイッチ部４の可動切片を端子４ｂ側に接続すれば、ライト９をＯＮ点灯させるライト機能部８を制御させる制御信号を送出する。
【００２４】
ライト機能部８は、スイッチ部４の端子４ｂを介して受信した出力制御部３３からの制御信号を受信し、ライト９を上記タイマ３７からの設定時間だけＯＮ点灯動作させる。ライト９は、ヘッドセットに装着しておくことができる。
【００２５】
次に、本発明の他の実施例を図３のブロック図を参照して説明する。
【００２６】
図１と図２に示す上述実施例は、スイッチ部４における制御態様（ＶＯＸ機能とライト点灯機能等）をスイッチ入力部５からの信号入力により行なっているが、本実施例は、マイク１から入力された音声を音声認識部１０で音声認識し、認識結果がＶＯＸ機能を指示している音声であるときには、スイッチ部４の可動切片を端子４ａに接続し、認識結果がライト点灯機能を指示している音声であるときには、スイッチ部４の可動切片を端子４ｂに接続するように構成されている。この場合には、スイッチ入力部５は、音声検出レベル／タイマ入力設定部３４の設定動作を行うだけでよいが、勿論、スイッチ部４の切り替え動作の制御を行えるようにして、その制御を音声認識部１０による制御と併用しても良い。図３において、図２に示す構成部と同一符号が付されている構成部は同じ機能を有する構成部を示すので、その説明は省略する。
【００２７】
次に、本発明による無線機のライト制御方法を図４のフローチャートを参照して説明する。
【００２８】
先ず、マイク１からの入力信号から音声信号を検知し（ステップＳ１）、検知された音声信号のレベルが所定のしきい値以上であるか否かを判定し（ステップＳ２）、しきい値以上であるときには、設定機能がＶＯＸ機能かライト点灯機能かを判定する（ステップＳ３）。ＶＯＸ機能が設定されていれば、当該無線機の送信機能を、予め定められた時間だけ動作させ（ステップＳ４）、またはライト９を点灯させる機能が設定されていれば、予め定められた時間だけライト点灯動作させる（ステップＳ５）。ここで、ＶＯＸ機能とライト点灯機能の選択的設定は、入力音声を音声認識し、認識結果がＶＯＸ機能を指示している音声であるときにはＶＯＸ機能を、認識結果がライト点灯機能を指示している音声であるときにはライト点灯機能をそれぞれ実行させる。
【００２９】
以上、本発明の好適実施例の構成および動作を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、図２や図３に示す具体的ハードウエア構成は一例であり、同様な機能を果たすものであればハードウエア、ソフトウエアいずれのものを使用できることは勿論である。
【図面の簡単な説明】
【００３０】
【図１】本発明による無線機のライト制御方式に係る好適実施例の全体構成を示す基本構成ブロック図である。
【図２】図１に示す実施例のより具体的な構成ブロック図である。
【図３】本発明による無線機のライト制御方式に係る他の実施例の構成ブロック図である。
【図４】本発明による無線機のライト制御方法の処理手順を示すフローチャートである。
【符号の説明】
【００３１】
１      マイク
２      音声検出部
３      制御部
４      スイッチ（ＳＷ）部
５      スイッチ（ＳＷ）入力部
６      変調回路
７      送信機能部
８      ライト機能部
９      ライト
１０    音声認識部
２１    増幅器
２２    検波器
３１    Ａ／Ｄ変換器
３２    比較器
３３    出力制御部
３４    音声検出レベル／タイマ入力設定部
３５    第１のメモリ
３６    第２のメモリ
３７    タイマ
【図１】
2006279710.tif 000003
【図２】
2006279710.tif 000004
【図３】
2006279710.tif 000005
【図４】
2006279710.tif 000006